(57)【特許請求の範囲】
【請求項１】
熱産生を働きとする脱共役蛋白質ファミリーを物理的に刺激して活性化させると共に熱を産生・放熱させるための物理刺激手段として、１〜３ＭＨｚの周波数範囲を有する超音波照射具と、１〜１０００Ｈｚの周波数範囲を有する低周波発振具とを具備し、超音波照射具による超音波刺激と低周波発振具による低周波刺激とを同時に行なうようにして成ることを特徴とする痩身器具。
【請求項２】
物理刺激手段は、骨格筋に存在する脱共役蛋白質ファミリー、少なくとも肩甲骨下部、腋窩部、後頸部に存在する褐色脂肪細胞の脱共役蛋白質ファミリー、の少なくとも一つを刺激するものであることを特徴とする請求項１に記載の痩身器具。
【請求項３】
物理刺激手段は、痩せたい部位の脱共役蛋白質ファミリーを選択的に刺激するものであることを特徴とする請求項１に記載の痩身器具。
【請求項４】
物理刺激手段は、少なくとも肩甲骨下部、腋窩部、後頸部に存在する褐色脂肪細胞の脱共役蛋白質ファミリーの少なくとも一つを選択的に刺激するものであることを特徴とする請求項１に記載の痩身器具。
【請求項５】
痩せたい部位の脱共役蛋白質ファミリーを選択的に刺激する物理刺激手段と、少なくとも肩甲骨下部、腋窩部、後頸部に存在する褐色脂肪細胞の脱共役蛋白質ファミリーの少なくとも一つを刺激する物理刺激手段を具備して成ることを特徴とする請求項１に記載の痩身器具。
【請求項６】
痩せたい部位の脱共役蛋白質ファミリーを選択的に刺激する物理刺激手段と、少なくとも肩甲骨下部、腋窩部、後頸部に存在する褐色脂肪細胞の脱共役蛋白質ファミリーの少なくとも一つを刺激する物理刺激手段を具備し、痩せたい部位の脱共役蛋白質ファミリーと、少なくとも肩甲骨下部、腋窩部、後頸部に存在する褐色脂肪細胞の脱共役蛋白質ファミリーの少なくとも一つを同時に刺激するようにして成ることを特徴とする請求項５に記載の痩身器具。
【請求項７】
痩せたい部位の脱共役蛋白質ファミリーを選択的に刺激する物理刺激手段と、少なくとも肩甲骨下部、腋窩部、後頸部に存在する褐色脂肪細胞の脱共役蛋白質ファミリーの少なくとも一つを刺激する物理刺激手段を具備し、痩せたい部位の脱共役蛋白質ファミリーを刺激した後、所定時間内に少なくとも肩甲骨下部、腋窩部、後頸部に存在する褐色脂肪細胞の脱共役蛋白質ファミリーの少なくとも一つを刺激するようにして成ることを特徴とする請求項５に記載の痩身器具。
【請求項８】
物理刺激手段は、痩せたい部位の交感神経を刺激してカテコールアミンを分泌させるものであることを特徴とする請求項１乃至７のいずれかに記載の痩身器具。
【発明の詳細な説明】
【０００１】
【発明の属する技術分野】
本発明は、身体に物理刺激を与えて痩身効果を得ることができる痩身器具に関するものである。
【０００２】
【従来の技術】
痩身器具として従来から、超音波、低周波電気、高周波電気、圧、ローラー振動、温熱などの物理刺激を身体に与えるようにしたものが種々提供されている。しかしこれらの従来の痩身器具はいずれも、痩身の原理原則に基づいたものではなく、ただ単に、代謝量を増やすための運動をさせるものや、過剰な脂肪を一時的に他の部位に移動させるものなどであり、わずかな代謝量の増加しか期待することができず、痩身の効果も不明なものが多かった。
【０００３】
本来、痩身とは体内に蓄積した余分な脂肪を少なくする、あるいは適正値にすることが目的であり、そのためにまず、過剰な脂肪細胞から脂肪分を血中に溶けさせ（これを脂肪分解という）、その脂肪を筋肉で燃焼させなければならない。また脂肪を効率良く燃焼させるためには運動量や運動時間を多くして代謝量を上げたり、日頃から個人の基礎代謝量を増やすなどをしなければならない。つまり摂取エネルギーより消費エネルギーを多くし、その積重ねによって結果的に痩身することができるのである。
【０００４】
ここで、近年流行したスリミング剤には、脂肪分解を起こすために直接ノルアドレナリンを分泌させるような成分が含まれているものが多く、このように脂肪分解を起こさせてもこの脂肪が燃焼されなければ痩身効果を得ることができないものが殆どである。また脂肪を燃焼させるためには３０分以上の有酸素運動が必要であるといわれているが、２０代前半をピークに基礎代謝量は低下するために、加齢とともに、効率良く脂肪を燃焼させて効果的に痩身することは困難になる。さらに、食べても太りにくい人が存在する反面、非常に太り易い人もいるのは事実であるが、これは基礎代謝量及び活動時の代謝量の個人差が大きいからであり、個人差からも痩身することが困難なことがある。
【０００５】
一方、最近では、肥満治療の開発が進み、脱共役蛋白質ファミリーの発見によって、エネルギー消費の面から肥満のメカニズムが解明されつつあり、代謝量を左右するのが脱共役蛋白質ファミリーの活性度の違いであることがわかってきた。この脱共役蛋白質ファミリーは褐色脂肪細胞、白色脂肪細胞、骨格筋等に存在するものであり、脱共役蛋白質ファミリーを活性化させて肥満を治療する治療薬の開発も行なわれていることからも理解されるうように、効率良く脂肪燃焼させるためには、いかにして脱共役蛋白質ファミリーを活性化させてやるかが痩身のポイントであるといえる。
【０００６】
【発明が解決しようとする課題】
本発明は上記の点に鑑みてなされたものであり、効果的に脱共役蛋白質ファミリーを活性化させて効率良く痩身することができる痩身器具を提供することを目的とするものである。
【０００７】
【課題を解決するための手段】
本発明の請求項１に係る痩身器具は、熱産生を働きとする脱共役蛋白質ファミリーを物理的に刺激して活性化させると共に熱を産生・放熱させるための物理刺激手段として、１〜３ＭＨｚの周波数範囲を有する超音波照射具と、１〜１０００Ｈｚの周波数範囲を有する低周波発振具とを具備し、超音波照射具による超音波刺激と低周波発振具による低周波刺激とを同時に行なうようにして成ることを特徴とするものである。
【０００９】
また請求項２の発明は、上記請求項１において、物理刺激手段は、骨格筋に存在する脱共役蛋白質ファミリー、少なくとも肩甲骨下部、腋窩部、後頸部に存在する褐色脂肪細胞の脱共役蛋白質ファミリー、の少なくとも一つを刺激するものであることを特徴とするものである。
【００１０】
また請求項３の発明は、上記請求項１において、物理刺激手段は、痩せたい部位の脱共役蛋白質ファミリーを選択的に刺激するものであることを特徴とするものである。
【００１１】
また請求項４の発明は、上記請求項１において、物理刺激手段は、少なくとも肩甲骨下部、腋窩部、後頸部に存在する褐色脂肪細胞の脱共役蛋白質ファミリーの少なくとも一つを選択的に刺激するものであることを特徴とするものである。
【００１２】
また請求項５の発明は、上記請求項１において、痩せたい部位の脱共役蛋白質ファミリーを選択的に刺激する物理刺激手段と、少なくとも肩甲骨下部、腋窩部、後頸部に存在する褐色脂肪細胞の脱共役蛋白質ファミリーの少なくとも一つを刺激する物理刺激手段を具備して成ることを特徴とするものである。
【００１３】
また請求項６の発明は、上記請求項５において、痩せたい部位の脱共役蛋白質ファミリーを選択的に刺激する物理刺激手段と、少なくとも肩甲骨下部、腋窩部、後頸部に存在する褐色脂肪細胞の脱共役蛋白質ファミリーの少なくとも一つを刺激する物理刺激手段を具備し、痩せたい部位の脱共役蛋白質ファミリーと、少なくとも肩甲骨下部、腋窩部、後頸部に存在する褐色脂肪細胞の脱共役蛋白質ファミリーの少なくとも一つを同時に刺激するようにして成ることを特徴とするものである。
【００１４】
また請求項７の発明は、上記請求項５において、痩せたい部位の脱共役蛋白質ファミリーを選択的に刺激する物理刺激手段と、少なくとも肩甲骨下部、腋窩部、後頸部に存在する褐色脂肪細胞の脱共役蛋白質ファミリーの少なくとも一つを刺激する物理刺激手段を具備し、痩せたい部位の脱共役蛋白質ファミリーを刺激した後、所定時間内に少なくとも肩甲骨下部、腋窩部、後頸部に存在する褐色脂肪細胞の脱共役蛋白質ファミリーの少なくとも一つを刺激するようにして成ることを特徴とするものである。
【００１５】
また請求項８の発明は、上記請求項１乃至７のいずれかにおいて、物理刺激手段は、痩せたい部位の交感神経を刺激してカテコールアミンを分泌させるものであることを特徴とするものである。
【００１７】
【発明の実施の形態】
以下、本発明の実施の形態を説明する。
【００１８】
痩身の目的を達成するためには、身体の過剰な脂肪を分解し、さらにこの分解した脂肪を燃焼させる必要がある。
【００１９】
脂肪分解については、カテコールアミンを分泌させることによって行なうことができる。カテコールアミンはドーパミン、ノルアドレナリン、アドレナリンの３つの物質の総称であり、身体のうち痩せたい部位の交感神経を物理刺激手段で物理刺激することによって、交感神経末端や副腎髄質からカテコールアミンを分泌させることができると共に、分泌を促進することができる。またこのように物理刺激で交感神経を刺激して間接的にカテコールアミンを分泌させるようにする他に、カフェインやニコチンなどの化学刺激物質を内服または外用して、カテコールアミンを分泌させたり、分泌を促進したりするようにしてもよい。
【００２０】
ここで、物理刺激手段として超音波発振器を有する超音波照射具を用い、超音波による物理刺激を与えることによって交感神経を亢進すると共にカテコールアミンを分泌させ、この結果、脂肪を分解することができることを示す実験例を図６のグラフに示す。図６は１ＭＨｚ、１Ｗ／ｃｍ2の条件の超音波を１０分間与えたラット６匹の群（超音波群）と、超音波を与えないラット６匹の群（コントロール群）について、血液中の遊離脂肪酸量の変化を測定した結果を示すものであり、超音波群は有意に遊離脂肪酸量が増加しており、超音波による物理刺激を与えることによって脂肪分解を促進させることができることが確認される。
【００２１】
また、このように分解された脂肪を燃焼させるために、本発明では物理刺激手段を用いて身体に物理刺激を与え、熱産生を働きとする脱共役蛋白質ファミリー（Uncoupling Protein:ＵＣＰ）を活性化し、熱を産生すると共に放熱させるようにしているものである。脱共役蛋白質ファミリーはＵＣＰ１、ＵＣＰ２、ＵＣＰ３が知られているが、脱共役蛋白質ファミリーはこれまでの研究により、肩甲骨下部、腋窩部、後頸部などに存在する褐色脂肪細胞や、俗にいう脂肪である白色脂肪細胞や、骨格筋などに存在することが発見されている。従って身体のうち、痩せたい部位において、少なくとも肩甲骨下部、腋窩部、後頸部に存在する褐色脂肪細胞や、白色脂肪細胞や、骨格筋の少なくとも一つを物理刺激することによって、これらに存在する脱共役蛋白質ファミリーの少なくとも一つを物理刺激することができ、脱共役蛋白質ファミリーを活性化して熱を産生すると共に放熱させ、痩身することができるものである。
【００２２】
脱共役蛋白質ファミリーを活性化し、またカテコールアミンを分泌させるために身体に与える刺激としては、超音波、低周波等を用いることができるものである。そしてこれらの超音波、低周波等から選ばれる一つ以上の物理刺激を身体に与える物理刺激手段を備えたものとして、本発明の痩身器具を形成するものである。
【００２３】
物理刺激手段としてこれらの中でも超音波照射手段を用いると、超音波による刺激で交感神経を刺激し、交感神経末端及び副腎髄質からのカテコールアミンの分泌を介して白色脂肪細胞の脂肪分解を引き起こすことができ、またこれと同時に、超音波による刺激で白色脂肪細胞と骨格筋の脱共役蛋白質ファミリーの活性化を引き起こすことができ、白色脂肪細胞の脂肪分解にて生じた遊離脂肪酸を、超音波を照射した部位で局所的に熱として放散させることができるものであり、安全に体脂肪を減少させて痩身を効果的に行なうことができるものである。
【００２４】
痩身器具の物理刺激手段は、身体のうち痩せたい部位に選択的に刺激を与えるようにし、その部位の白色脂肪細胞や骨格筋内に存在する脱共役蛋白質ファミリーを選択的に活性化させて、熱を産生すると共に放熱させ、刺激を与えた部位を部分的に痩身することができる。
【００２５】
また痩身器具の物理刺激手段は、少なくとも肩甲骨下部、腋窩部、後頸部の一つに物理刺激を選択的に与えるようにし、褐色脂肪細胞の脱共役蛋白質ファミリーを刺激して活性化するようにすることができる。このように褐色脂肪細胞を物理刺激すると、全身の脱共役蛋白質ファミリーを活性化して熱を産生すると共に放熱させることができ、全身を痩身することができるものである。
【００２６】
ここで痩身器具は、上記のように痩せたい部位の脱共役蛋白質ファミリーを選択的に刺激する物理刺激手段と、上記のように少なくとも肩甲骨下部、腋窩部、後頸部に存在する褐色脂肪細胞の脱共役蛋白質ファミリーの少なくとも一つを選択的に刺激する物理刺激手段とを、併せ持つものとして形成することができる。
【００２７】
このとき、痩身器具は、上記のように痩せたい部位の脱共役蛋白質ファミリーを選択的に刺激する物理刺激手段と、上記のように少なくとも肩甲骨下部、腋窩部、後頸部に存在する褐色脂肪細胞の脱共役蛋白質ファミリーの少なくとも一つを選択的に刺激する物理刺激手段とを併せ持ち、各物理刺激手段で同時に身体を刺激するようにしたものとして形成することもできる。この各物理刺激手段としては、同じ種類の物理刺激を与えるものでも、また異なる種類の物理刺激を与えるものでも、いずれでもよい。
【００２８】
また、痩身器具は、上記のように痩せたい部位の脱共役蛋白質ファミリーを選択的に刺激する物理刺激手段と、上記のように少なくとも肩甲骨下部、腋窩部、後頸部に存在する褐色脂肪細胞の脱共役蛋白質ファミリーの少なくとも一つを選択的に刺激する物理刺激手段とを併せ持ち、痩せたい部位の脱共役蛋白質ファミリーを選択的に刺激する物理刺激手段で刺激を行なった後、所定時間内に、少なくとも肩甲骨下部、腋窩部、後頸部に存在する褐色脂肪細胞の脱共役蛋白質ファミリーの少なくとも一つを選択的に刺激する物理刺激手段で刺激を行なうものとして形成することもできる。ここで所定時間内とは、３０分以内程度が好ましい。
【００２９】
この場合、二つの物理刺激手段を併用するにあたって、各物理刺激手段として独立した二つのものを用い、一方の物理刺激手段で痩せたい部位の脱共役蛋白質ファミリーを刺激した後、他方の物理刺激手段で肩甲骨下部、腋窩部、後頸部などに存在する褐色脂肪細胞の脱共役蛋白質ファミリーを刺激するようにしてもよく、あるいは一つの物理刺激手段のみを用い、この物理刺激手段で痩せたい部位の脱共役蛋白質ファミリーを刺激した後、同じこの物理刺激手段で肩甲骨下部、腋窩部、後頸部などに存在する褐色脂肪細胞の脱共役蛋白質ファミリーを刺激するようにしてもよい。
【００３０】
上記のように、痩せたい部位の脱共役蛋白質ファミリーを選択的に刺激すると共に、肩甲骨下部、腋窩部、後頸部等に存在する褐色脂肪細胞の脱共役蛋白質ファミリーの少なくとも一つを選択的に刺激するようにすることによって、褐色脂肪細胞の脱共役蛋白質ファミリーの活性化による全身痩身を達成しながら、痩せたい部位を重点的に痩身することができるものである。
【００３１】
【実施例】
次に本発明を実施例によって説明する。
【００３２】
（参考例１）
物理刺激手段として１〜３ＭＨｚ、１Ｗ／ｃｍ２の条件で超音波を照射する超音波照射具１を用い、この超音波照射具１を具備する痩身器具Ａを形成した。そして図１に示すように、身体４の痩せたい部位の表面に超音波照射具１を宛がって、超音波を照射した。このとき、超音波を照射する部位にはジェルを超音波伝達媒体３として塗布しておくのが好ましい。このジェルは通常の超音波診断で使用されているものと同じものであり、例えばカルボキシル・メチル・セルロースに水を保持させた親水性のものである。そして超音波照射器具１から照射された超音波は、超音波伝達媒体３を通して身体内の脂肪や筋肉内へ到達し、脂肪や筋肉内の脱共役蛋白質ファミリーが超音波によって刺激され、活性化されるものであり、刺激部位の痩身効果を得ることができるものである。
【００３３】
ここで、超音波を照射して物理刺激を与えたときの痩身効果を確認するための実験例を示す。まず、１ＭＨｚ、１Ｗ／ｃｍ2の超音波をラットの脚部に２０分間照射したときの、脱共役蛋白質ファミリーのＵＣＰ３の活性化を測定した。結果を図２に示す。図２は、超音波を照射しないラット６匹の群の脚部骨格筋のＵＣＰ３の活性度と、超音波を照射した直後のラット６匹の群の脚部骨格筋のＵＣＰ３の活性度と、超音波照射３時間後のラット６匹の群の脚部骨格筋のＵＣＰ３の活性度を比較して示すものであり、超音波による物理刺激によってＵＣＰ３が有意に活性化されていることが確認される。次に、１ＭＨｚ、１Ｗ／ｃｍ2の超音波をラットの脚部に毎日５分間、あるいは毎日１０分間、４週間連続照射したときの、皮下脂肪重量を測定した。結果を図３に示す。図３は、超音波を照射しないラット４匹の群の脂肪重量と、超音波を毎日５分間照射したラット４匹の群の脂肪重量と、超音波を毎日１０分間照射したラット４匹の群の脂肪重量を比較して示すものであり、超音波による物理刺激によって脂肪重量が有意に低下しており、痩身効果のあることが確認される。
【００３４】
（実施例１）
物理刺激手段として１〜３ＭＨｚ、１Ｗ／ｃｍ２の条件で超音波を照射する超音波照射具１と、物理刺激手段として１〜１０００Ｈｚ、５ｍＡ以下の条件で低周波電気を出力する低周波発振具２を用い、この超音波照射具１と低周波発振具２を具備する痩身器具Ａを形成した。そして図４に示すように、身体の肩甲骨下部５、腋窩部７、後頸部６のうちの１箇所以上を、超音波照射具１を用いて超音波刺激し、褐色脂肪細胞内の脱共役蛋白質ファミリーを活性化した。またこれと同時に、低周波発振具２で痩せたい部位、例えば脚部８を低周波刺激し、白色脂肪細胞内や骨格筋内の脱共役蛋白質ファミリーを活性化した。このようにして部分痩身と全身痩身を達成した。
【００３５】
尚、超音波照射具１や低周波発振具２は複数を用いて、複数個所を物理刺激するようにすることもできる。
【００３６】
（参考例２）
物理刺激手段として１〜３ＭＨｚ、１Ｗ／ｃｍ２の条件で超音波を照射する超音波照射具１を用い、この超音波照射具１を具備する痩身器具Ａを形成した。そして図５に示すように、身体の痩せたい部位、例えば脚部８を超音波刺激した。このとき、痩せたい部位の白色脂肪細胞及び骨格筋を刺激していることになり、同時に脂肪分解の促進と脱共役蛋白質ファミリーの活性化を行なうことができ、痩せたい部位の部分痩身効果を得ることができる。
【００３７】
尚、超音波照射具１を複数にし、痩せたい複数の部位に対して同時に刺激を与えるようにしてもよい。
【００３８】
【発明の効果】
上記のように本発明の請求項１に係る痩身器具は、熱産生を働きとする脱共役蛋白質ファミリーを物理的に刺激して活性化させると共に熱を産生・放熱させるための物理刺激手段として、１〜３ＭＨｚの周波数範囲を有する超音波照射具と、１〜１０００Ｈｚの周波数範囲を有する低周波発振具とを具備し、超音波照射具による超音波刺激と低周波発振具による低周波刺激とを同時に行なうようにしたので、物理刺激によって効果的に脱共役蛋白質ファミリーを活性化させることができ、効率良く痩身することができるものである。
【００４０】
また請求項２の発明は、上記物理刺激手段は、骨格筋に存在する脱共役蛋白質ファミリー、少なくとも肩甲骨下部、腋窩部、後頸部に存在する褐色脂肪細胞の脱共役蛋白質ファミリー、の少なくとも一つを刺激するものであるので、褐色脂肪細胞、白色脂肪細胞、骨格筋に存在する脱共役蛋白質ファミリーを効果的に活性化させて、効率良く痩身することができるものである。
【００４１】
また請求項３の発明は、上記物理刺激手段は、痩せたい部位の脱共役蛋白質ファミリーを選択的に刺激するものであるので、痩せたい部位の脱共役蛋白質ファミリーを効果的に活性化させて、効率良く部分痩身することができるものである。
【００４２】
また請求項４の発明は、上記物理刺激手段は、少なくとも肩甲骨下部、腋窩部、後頸部に存在する褐色脂肪細胞の脱共役蛋白質ファミリーの少なくとも一つを選択的に刺激するものであるので、褐色脂肪細胞の物理刺激によって全身の脱共役蛋白質ファミリーを活性化することができ、効率良く全身痩身することができるものである。
【００４３】
また請求項５の発明は、痩せたい部位の脱共役蛋白質ファミリーを選択的に刺激する物理刺激手段と、少なくとも肩甲骨下部、腋窩部、後頸部に存在する褐色脂肪細胞の脱共役蛋白質ファミリーの少なくとも一つを刺激する物理刺激手段を具備するので、痩せたい部位の刺激による部分痩身と、褐色脂肪細胞の刺激による全身痩身の両方を達成することができるものである。
【００４４】
また請求項６の発明は、痩せたい部位の脱共役蛋白質ファミリーを選択的に刺激する物理刺激手段と、少なくとも肩甲骨下部、腋窩部、後頸部に存在する褐色脂肪細胞の脱共役蛋白質ファミリーの少なくとも一つを刺激する物理刺激手段を具備し、痩せたい部位の脱共役蛋白質ファミリーと、少なくとも肩甲骨下部、腋窩部、後頸部に存在する褐色脂肪細胞の脱共役蛋白質ファミリーの少なくとも一つを同時に刺激するようにしたので、痩せたい部位の刺激による部分痩身と、褐色脂肪細胞の刺激による全身痩身の両方を達成することができるものである。
【００４５】
また請求項７の発明は、痩せたい部位の脱共役蛋白質ファミリーを選択的に刺激する物理刺激手段と、少なくとも肩甲骨下部、腋窩部、後頸部に存在する褐色脂肪細胞の脱共役蛋白質ファミリーの少なくとも一つを刺激する物理刺激手段を具備し、痩せたい部位の脱共役蛋白質ファミリーを刺激した後、所定時間内に少なくとも肩甲骨下部、腋窩部、後頸部に存在する褐色脂肪細胞の脱共役蛋白質ファミリーの少なくとも一つを刺激するようにしたので、痩せたい部位の刺激による部分痩身と、褐色脂肪細胞の刺激による全身痩身の両方を達成することができるものである。
【００４６】
また請求項８の発明は、上記物理刺激手段は、痩せたい部位の交感神経を刺激してカテコールアミンを分泌させるものであるので、カテコールアミンの分泌によって脂肪を分解させることができるものであり、この分解した脂肪を物理刺激による脱共役蛋白質ファミリーの活性化によって燃焼させて熱として放散することができ、効率良く痩身することができるものである。
【図面の簡単な説明】
【図１】本発明の実施の形態の一例を示す概略図である。
【図２】超音波照射による物理刺激とＵＰＣ３の活性度との関係を示すグラフである。
【図３】超音波照射による物理刺激と脂肪重量との関係を示すグラフである。
【図４】本発明の実施の形態の他の一例を示す概略図である。
【図５】本発明の実施の形態のさらに他の一例を示す概略図である。
【図６】超音波照射による物理刺激と遊離脂肪酸量との関係を示すグラフである。
【符号の説明】
１  超音波照射具
２  低周波発振具
Ａ  痩身器具
【図１】
0004723707.tif 000002
【図２】
0004723707.tif 000003
【図３】
0004723707.tif 000004
【図４】
0004723707.tif 000005
【図５】
0004723707.tif 000006
【図６】
0004723707.tif 000007